(57)【要約】【課題】ライセンス取得手続が容易で不正なソフトウェアの使用が低減できるラインセンス管理システムを提供する。【解決手段】ソフトウェアライセンス管理システム１は、携帯電話Ｗｅｂサイトサーバ１０と、ソフトウェア販売会社端末２０と、パーソナルコンピュータ３１と、パーソナルコンピュータ３１とデータ通信が可能な携帯電話３２と、パーソナルコンピュータ３１にインストールされるソフトウェア３３と、携帯電話Ｗｅｂサイトサーバ１０とソフトウェア販売会社端末２０と携帯電話３２とを接続する通信ネットワーク６０を有し、携帯電話Ｗｅｂサイトサーバ１０が携帯電話３２の管理番号とソフトウェア３３のシリアル番号とライセンスを管理する。個人を特定できる携帯電話３２をライセンスキーとして使用することによりライセンス取得手続が容易となり、不正なソフトウェアの使用が低減できる。【選択図】図１
2006309720.tif 000002
【特許請求の範囲】
【請求項１】
携帯電話Ｗｅｂサイトを管理し、該携帯電話Ｗｅｂサイトを介して取得した携帯電話の情報とソフトウェアライセンスの内容とを管理する携帯電話Ｗｅｂサイトサーバ、通信ネットワーク、該通信ネットワークを介して前記携帯電話Ｗｅｂサイトに接続するソフトウェア販売会社端末および携帯電話、前記携帯電話とデータ通信が可能でありシリアル番号が付与されたソフトウェアがインストールされたパーソナルコンピュータ、を有し、
前記携帯電話Ｗｅｂサイトサーバは、前記携帯電話について管理番号を生成し、前記携帯電話Ｗｅｂサイトおよび前記携帯電話を介して前記ソフトウェアのシリアル番号を取得し、前記ソフトウェアのシリアル番号と前記管理番号とを前記ソフトウェア販売会社端末へ通知し、
前記通知を受けた前記ソフトウェア販売会社端末は、前記パーソナルコンピュータにインストールされたソフトウェアの使用を承認するソフトウェアライセンスを発行し、
前記パーソナルコンピュータは、前記携帯電話Ｗｅｂサイトサーバと前記携帯電話を介して取得した前記ソフトウェアライセンスにより前記ソフトウェアのインストールを完成する、ソフトウェアライセンス管理システム。
【請求項２】
請求項１に記載のソフトウェアライセンス管理システムの携帯電話Ｗｅｂサイトサーバであって、
登録した携帯電話の管理番号を携帯電話の電話番号と関連させて格納する携帯電話管理番号格納手段と、
受理したソフトウェアのシリアル番号を前記携帯電話の前記管理番号と関連させて格納するソフトウェアシリアル番号格納手段と、
ソフトウェア販売会社端末から発行されたソフトウェアライセンスを前記シリアル番号、前記管理番号と関連させて格納するライセンス格納手段と、
管理番号付与・ライセンス発行要求手段と、を有し、
前記管理番号付与・ライセンス発行要求手段は、
前記携帯電話の登録依頼を受理する登録依頼受理部、
前記管理番号を付与して前記携帯電話に通知すると共に前記管理番号を前記電話番号と関連付けて前記携帯電話管理番号格納手段に格納する携帯電話管理番号付与部、
前記携帯電話からソフトウェアインストールのためのライセンス要求を受け付けるライセンス要求受理部、
前記携帯電話管理番号格納手段を参照して前記携帯電話の登録を確認する登録確認部、
前記携帯電話から前記ソフトウェアの前記シリアル番号を受け付けて前記ソフトウェアシリアル番号格納手段に前記携帯電話の前記管理番号と関連させて格納するソフトウェアシリアル番号受理部、
ライセンス取得のために前記管理番号と前記シリアル番号とをソフトウェア販売会社端末に送信する管理番号・シリアル番号送信部、
前記ソフトウェア販売会社端末から前記ライセンスを受信するライセンス受理部、
前記携帯電話に前記ライセンスを送信すると共に発行した前記ライセンスを前記シリアル番号、前記管理番号と関連させて前記ライセンス格納手段に格納するライセンス送信部、
および前記各部の処理を制御する中央処理部を有する、携帯電話Ｗｅｂサイトサーバ。
【請求項３】
請求項１に記載のソフトウェアライセンス管理システムにおけるソフトウェアライセンス管理方法であって、
ソフトウェア販売会社より購入したソフトウェアのパーソナルコンピュータへのインストール作業を行うステップと、
前記ソフトウェアのインストールを完了させるためのライセンスを入手するために、前記パーソナルコンピュータを前記携帯電話に接続し、さらに前記携帯電話Ｗｅｂサイトサーバへの接続を要求するステップと、
認証によって登録済みの前記携帯電話と確認した前記携帯電話Ｗｅｂサイトサーバが、前記パーソナルコンピュータからのライセンス要求を受けて前記携帯電話を経由して前記パーソナルコンピュータに前記ソフトウェアのシリアル番号を要求し、前記パーソナルコンピュータが前記ソフトウェアの前記シリアル番号の情報を前記携帯電話Ｗｅｂサイトサーバに出力するステップと、
前記携帯電話Ｗｅｂサイトサーバが、前記携帯電話の登録された管理番号を前記ソフトウェアの前記シリアル番号に付与してソフトウェア販売会社端末に送信するステップと、
前記ソフトウェア販売会社端末が、前記管理番号と前記シリアル番号を確認してライセンスの登録作業を行って前記携帯電話Ｗｅｂサイトサーバにライセンスを発行するステップと、
前記携帯電話Ｗｅｂサイトサーバが、受理した前記ライセンスを前記携帯電話を経由して前記ソフトウェアをインストールする前記パーソナルコンピュータに通知するステップと、
前記ライセンスを受信した前記パーソナルコンピュータが前記ソフトウェアのインストールを完了するステップとを有することを特徴とする、ソフトウェアライセンス管理方法。
【請求項４】
請求項１に記載のソフトウェアライセンス管理システムにおけるソフトウェアライセンス管理方法であって、
前記ソフトウェアが、所定の回数、もしくは所定の期間を超えて起動された後に、前記ソフトウェアは前記パーソナルコンピュータを経由して前記携帯電話に接続し、さらに前記携帯電話Ｗｅｂサイトサーバへの接続を要求するステップと、
前記携帯電話Ｗｅｂサイトサーバで、接続された前記携帯電話が登録されている携帯電話であるかを確認するステップと、
前記携帯電話Ｗｅｂサイトサーバで登録されていない前記携帯電話であった場合は、ユーザーに対する警告を前記ソフトウェアに送信し、該ソフトウェアは警告画面を表示して該ソフトウェアの使用を禁止するステップと、
既に登録されている前記携帯電話であれば、認証して前記シリアル番号および前記管理番号を前記ソフトウェア販売会社端末に送信し、該ソフトウェア販売会社端末は前記管理番号と前記シリアル番号を確認して、登録した情報と一致すれば前記携帯電話Ｗｅｂサイトサーバに継続の許可を行い、該携帯電話Ｗｅｂサイトサーバは前記パーソナルコンピュータユーザーに前記ソフトウェアの継続使用許可を行い、該パーソナルコンピュータは該ソフトウェアを継続使用するステップとを有することを特徴とする、ソフトウェアライセンス管理方法。
【請求項５】
請求項１に記載のソフトウェアライセンス管理システムにおけるソフトウェアライセンス管理方法であって、
前記ソフトウェアのインストールされている前記パーソナルコンピュータに、前記ソフトウェア販売会社より購入した前記ソフトウェアのバージョンアップ用ソフトウェアのインストール作業を行うステップと、
前記パーソナルコンピュータに前記ソフトウェアがインストールされているかを確認するステップと、
前記パーソナルコンピュータに前記ソフトウェアがインストールされている場合は、前記バージョンアップ用ソフトウェアのインストールを完了させるためのライセンスを入手するために、前記ソフトウェアが前記パーソナルコンピュータを前記携帯電話に接続し、さらに前記携帯電話Ｗｅｂサイトサーバへの接続を要求するステップと、
前記携帯電話Ｗｅｂサイトサーバで、接続された前記携帯電話と前記ソフトウェアのシリアル番号が登録されているかを確認するステップと、
前記携帯電話Ｗｅｂサイトサーバで登録されていない前記携帯電話であった場合は、ユーザーに対する警告を前記ソフトウェアに送信し、該ソフトウェアは警告画面を表示して該ソフトウェアの使用を禁止するステップと、
前記携帯電話と前記ソフトウェアのシリアル番号が認証によって登録済みと確認された場合、前記コンピュータは前記携帯電話Ｗｅｂサイトサーバに前記バージョンアップ用ソフトウェアのシリアル番号を出力しバージョンアップの要求を行うステップと、
バージョンアップの要求を受けた前記携帯電話Ｗｅｂサイトサーバは、前記携帯電話と関連付けて既に登録されているシリアル番号を前記バージョンアップ用ソフトウェアのシリアル番号に更新し、前記携帯電話の管理番号を前記バージョンアップ用ソフトウェアの前記シリアル番号に付与してソフトウェア販売会社端末に送信するステップと、
前記ソフトウェア販売会社端末が、前記管理番号と前記バージョンアップ用ソフトウェアの前記シリアル番号を確認して前記バージョンアップ用ソフトウェアのライセンスの登録作業を行って前記携帯電話Ｗｅｂサイトサーバに前記バージョンアップ用ソフトウェアのライセンスを発行するステップと、
前記携帯電話Ｗｅｂサイトサーバが、受理した前記バージョンアップ用ソフトウェアのライセンスを、前記携帯電話を経由して前記バージョンアップ用ソフトウェアをインストールする前記パーソナルコンピュータに通知するステップと、
前記ライセンスを受信した前記パーソナルコンピュータが前記前記バージョンアップ用ソフトウェアのインストールを完了するステップとを有することを特徴とする、ソフトウェアライセンス管理方法。
【請求項６】
請求項１に記載のソフトウェアライセンス管理システムにおけるソフトウェアライセンス管理方法であって、
前記パーソナルコンピュータにインストールされている前記ソフトウェアのバージョンアップ用のソフトウェアを前記ソフトウェア販売会社端末から入手するために、前記パーソナルコンピュータを前記携帯電話に接続し、さらに前記携帯電話Ｗｅｂサイトサーバへの接続を要求するステップと、
前記携帯電話Ｗｅｂサイトサーバで、接続された前記携帯電話と前記ソフトウェアのシリアル番号が登録されているかを確認するステップと、
前記携帯電話Ｗｅｂサイトサーバで登録されていない前記携帯電話と前記ソフトウェアのシリアル番号であった場合は、ユーザーに対する警告を前記ソフトウェアに送信し、該ソフトウェアは警告画面を表示して該ソフトウェアの使用を禁止するステップと、
前記携帯電話と前記ソフトウェアのシリアル番号が認証によって登録済みと確認された場合、前記コンピュータは前記携帯電話Ｗｅｂサイトサーバに前記ソフトウェアに対するバージョンアップ用ソフトウェアのダウンロードの要求を行うステップと、
バージョンアップ用ソフトウェアのダウンロードの要求を受けた前記携帯電話Ｗｅｂサイトサーバは、前記携帯電話で登録されている前記携帯電話の管理番号に前記シリアル番号を付与してソフトウェア販売会社端末に前記ソフトウェアに対するバージョンアップ用ソフトウェアのダウンロードの要求を行うステップと、
前記ソフトウェア販売会社端末が、前記管理番号と前記シリアル番号を確認して、前記ソフトウェアに対するバージョンアップ用ソフトウェアを、前記携帯電話Ｗｅｂサイトサーバ、ならびに前記携帯電話を経由して前記ソフトウェアをインストールしている前記パーソナルコンピュータにダウンロードするステップとを有することを特徴とする、ソフトウェアライセンス管理方法。
【発明の詳細な説明】
【技術分野】
【０００１】
本発明はソフトウェアライセンス管理システム、携帯電話Ｗｅｂサイトサーバ、およびソフトウェアライセンス管理方法に関し、特に携帯電話と携帯電話Ｗｅｂサイトサーバとを管理手段とするソフトウェアライセンス管理システムとソフトウェアライセンス管理方法に関する。
【背景技術】
【０００２】
従来から、ソフトウェアについては複製が容易であり、不正な使用が行われやすいことから、ソフトウェアの販売やレンタルに当ってはユーザーとの間にライセンス契約を結び、配布後もライセンス管理によって不正使用の防止を行っている。ソフトウェアのライセンス管理には色々な方法が行われている。例えばライセンスキー番号をパーソナルコンピュータに直接入力する方法や、インターネットを通して暗号化されてきたライセンスを媒体等を通してパーソナルコンピュータ内で復号する方法や、暗号化したライセンスをパーソナルコンピュータが直接取得して復号する方法等がある。
【０００３】
従来のインターネットを通して暗号化されてきたライセンスを、媒体等を通してパーソナルコンピュータ内で復号するライセンス発行の手順について図１０を参照して説明する。図１０は従来例のソフトウェアライセンス管理システムの模式的システム構成図である。図１０に、パーソナルコンピュータＡ  １３１ａのユーザー１３０ａがソフトウェアＡ  １３３ａを購入し、パーソナルコンピュータＡ  １３１ａにソフトウェアＡ  １３３ａをインストールし、通信ネットワーク１６０を通してライセンスを入手するまでの構成を示している。
【０００４】
図１０において、パーソナルコンピュータＡ  １３１ａを所有しているユーザー１３０ａはソフトウェア販売会社よりソフトウェアＡ  １３３ａを購入する。購入後、インターネット網等の通信ネットワーク１６０を通してソフトウェア販売会社端末１２０に接続し、登録に必要な個人情報等の情報を入力する。ソフトウェア販売会社端末１２０はパーソナルコンピュータＡ  １３１ａのユーザー１３０ａから入力された情報を確認し、確認できた場合にライセンスを発行しソフトウェアの使用を許可する。パーソナルコンピュータＢ  １３１ｂを所有しているユーザー１３０ｂがソフトウェア販売会社より同じソフトウェアＡ  １３３ａを購入した場合も同様にライセンスの発行を受けることができる。
【０００５】
しかし、実際にはインストール操作が面倒で、パーソナルコンピュータを買い換えた場合に行う必要のある手続きも複雑化している。その結果、ソフトウェアライセンスの管理方法が難しくなり、一方不正対策の実行も難しくなって不正使用が発生している。また、ライセンス供与に媒体等を使用する場合は、媒体自体をコピーされる可能性があるため、不正にインストールされてしまう可能性がある。
【０００６】
特許文献１には、ソフトウェアの使用端末（ＰＣ）との間でデータ通信が可能な携帯電話機が、ソフトウェア提供者のライセンス管理サーバから第２のライセンス情報を受けて保管し、ソフトウェアの使用端末は携帯電話端末から供給された第２のライセンス情報とソフトウェアが予め具備している第１のライセンス情報とを組み合わせることによってソフトウェアの使用が許可されるソフトウェアライセンス管理方法が開示されており、特定の１台の使用端末に限定されることがなくソフトウェアの適正使用に寄与するとされている。
【特許文献１】特開２００４−１３９２３８号公報
【発明の開示】
【発明が解決しようとする課題】
【０００７】
しかしながら、図１０を参照して説明した従来のライセンス発行方法においては、次のような課題がある。即ち、
第１の課題は、パーソナルコンピュータＡ  １３１ａを所有しているユーザー１３０ａが、ソフトウェアＡ  １３３ａをパーソナルコンピュータＢ  １３１ｂを所有する他人に貸して、パーソナルコンピュータＡ  １３１ａのユーザー情報を使ってライセンスの再発行の申請をソフトウェア販売会社に行えば、ソフトウェア販売会社は個人の情報が登録内容と一致しているためライセンスを再発行してしまうため、不正使用が起こるということである。
【０００８】
第２の課題は、特定のできないパーソナルコンピュータを対象として個人情報とシリアル番号、ライセンスを全て管理するために不正使用が行われても確認ができず、管理が困難であるということである。
【０００９】
第３の課題は、パーソナルコンピュータのユーザーがパーソナルコンピュータを買い換えた場合、再度ライセンスの発行を要求するためソフトウェア販売会社に再発行の申請を行うが、この場合必要情報を再度入力してもらって再発行が行われるが、場合によってはアンインストール完了の確約をとっても本当に以前のパーソナルコンピュータのアンインストールを行ったかを確認できないことである。
【００１０】
第４の課題は、ユーザーがソフトウェアＡ  １３３ａを購入後、パーソナルコンピュータＡ  １３１にインストールし、ソフトウェア販売会社端末１２０に通信ネットワーク１６０を使用して接続し、ライセンス発行に必要な情報を入力し、ライセンスを発行してもらった後にパーソナルコンピュータＡ  １３１にライセンスデータを入れ、インストールする等の複雑な操作が必要とされていることである。
【００１１】
また、特許文献１に記載の発明では、携帯電話内にライセンスが保持されているので、何らかの方法でデータが読み取られる可能性があり、また、携帯電話の故障によってライセンスの読み取りができなくなるおそれがあり、さらに、携帯電話にパーソナルコンピュータから情報ＩＤを送付することとしているが、このために携帯電話に情報ＩＤを受信したときに反応して動作する特別な機能を設ける必要がある。
【００１２】
本発明の目的は、携帯電話Ｗｅｂサイトサーバで個人を特定できる携帯電話を使用することにより、ライセンス取得手続が容易で不正なソフトウェアの使用が低減できるソフトウェアラインセンス管理方法を提供することにある。
【課題を解決するための手段】
【００１３】
本発明のソフトウェアライセンス管理システムは、
携帯電話Ｗｅｂサイトを管理し、その携帯電話Ｗｅｂサイトを介して取得した携帯電話の情報とソフトウェアライセンスの内容とを管理する携帯電話Ｗｅｂサイトサーバ、通信ネットワーク、その通信ネットワークを介して携帯電話Ｗｅｂサイトに接続するソフトウェア販売会社端末および携帯電話、携帯電話とデータ通信が可能でありシリアル番号が付与されたソフトウェアがインストールされたパーソナルコンピュータを有し、携帯電話Ｗｅｂサイトサーバは、携帯電話について管理番号を生成し、携帯電話Ｗｅｂサイトおよび携帯電話を介してソフトウェアのシリアル番号を取得し、ソフトウェアのシリアル番号と管理番号とをソフトウェア販売会社端末へ通知し、通知を受けたソフトウェア販売会社端末は、パーソナルコンピュータにインストールされたソフトウェアの使用を承認するソフトウェアライセンスを発行し、パーソナルコンピュータは、携帯電話Ｗｅｂサイトサーバと携帯電話を介して取得したソフトウェアライセンスによりソフトウェアのインストールを完成する。
【００１４】
本発明の携帯電話Ｗｅｂサイトサーバは、
上述のソフトウェアライセンス管理システムの携帯電話Ｗｅｂサイトサーバであって、登録した携帯電話の管理番号を携帯電話の電話番号と関連させて格納する携帯電話管理番号格納手段と、受理したソフトウェアのシリアル番号を携帯電話の管理番号と関連させて格納するソフトウェアシリアル番号格納手段と、ソフトウェア販売会社端末から発行されたソフトウェアライセンスをシリアル番号、管理番号と関連させて格納するライセンス格納手段と、管理番号付与・ライセンス発行要求手段とを有し、管理番号付与・ライセンス発行要求手段は、携帯電話の登録依頼を受理する登録依頼受理部、管理番号を付与して携帯電話に通知すると共に管理番号を電話番号と関連付けて携帯電話管理番号格納手段に格納する携帯電話管理番号付与部、携帯電話からソフトウェアインストールのためのライセンス要求を受け付けるライセンス要求受理部、携帯電話管理番号格納手段を参照して登録を確認する登録確認部、携帯電話からソフトウェアのシリアル番号を受け付けてソフトウェアシリアル番号格納手段に携帯電話の管理番号と関連させて格納するソフトウェアシリアル番号受理部、ライセンス取得のために管理番号とシリアル番号をソフトウェア販売会社端末に送信する管理番号・シリアル番号送信部、ソフトウェア販売会社端末からライセンスを受信するライセンス受理部、携帯電話にライセンスを送信すると共に発行したライセンスをシリアル番号、管理番号と関連させてライセンス格納手段に格納するライセンス送信部、および各部の処理を制御する中央処理部を有する。
【００１５】
本発明のソフトウェアライセンス管理方法は、
第１の態様では、上述のソフトウェアライセンス管理システムのソフトウェアライセンス管理方法であって、ソフトウェア販売会社より購入したソフトウェアのパーソナルコンピュータへのインストール作業を行うステップと、ソフトウェアのインストールを完了させるためのライセンスを入手するために、パーソナルコンピュータを携帯電話に接続し、さらに携帯電話Ｗｅｂサイトサーバへの接続を要求するステップと、認証によって登録済みの携帯電話と確認した携帯電話Ｗｅｂサイトサーバが、パーソナルコンピュータからのライセンス要求を受けて携帯電話を経由してパーソナルコンピュータにソフトウェアのシリアル番号を要求し、パーソナルコンピュータがソフトウェアのシリアル番号の情報を携帯電話Ｗｅｂサイトサーバに出力するステップと、携帯電話Ｗｅｂサイトサーバが、携帯電話の登録された管理番号をソフトウェアのシリアル番号に付与してソフトウェア販売会社端末に送信するステップと、ソフトウェア販売会社端末が、管理番号とシリアル番号を確認してライセンスの登録作業を行って携帯電話Ｗｅｂサイトサーバにライセンスを発行するステップと、携帯電話Ｗｅｂサイトサーバが、受理したライセンスを携帯電話を経由してソフトウェアをインストールするパーソナルコンピュータに通知するステップと、ライセンスを受信したパーソナルコンピュータがソフトウェアのインストールを完了するステップとを含むことを特徴とする。
【００１６】
第２の態様では、ソフトウェアが、所定の回数、もしくは所定の期間を超えて起動された後に、ソフトウェアはパーソナルコンピュータを経由して携帯電話に接続し、さらに携帯電話Ｗｅｂサイトサーバへの接続を要求するステップと、携帯電話Ｗｅｂサイトサーバで、接続された携帯電話が登録されている携帯電話であるかを確認するステップと、携帯電話Ｗｅｂサイトサーバで登録されていない携帯電話であった場合は、ユーザーに対する警告をソフトウェアに送信し、そのソフトウェアは警告画面を表示してそのソフトウェアの使用を禁止するステップと、既に登録されている携帯電話であれば、認証してシリアル番号および管理番号をソフトウェア販売会社端末に送信し、そのソフトウェア販売会社端末は管理番号とシリアル番号を確認して、登録した情報と一致すれば携帯電話Ｗｅｂサイトサーバに継続の許可を行い、その携帯電話Ｗｅｂサイトサーバはパーソナルコンピュータユーザーにソフトウェアの継続使用許可を行い、そのパーソナルコンピュータはそのソフトウェアを継続使用するステップとを含むことを特徴とする。
【００１７】
第３の態様では、ソフトウェアのインストールされているパーソナルコンピュータに、ソフトウェア販売会社より購入したソフトウェアのバージョンアップ用ソフトウェアのインストール作業を行うステップと、パーソナルコンピュータにソフトウェアがインストールされているかを確認するステップと、パーソナルコンピュータにソフトウェアがインストールされている場合は、バージョンアップ用ソフトウェアのインストールを完了させるためのライセンスを入手するために、ソフトウェアがパーソナルコンピュータを携帯電話に接続し、さらに携帯電話Ｗｅｂサイトサーバへの接続を要求するステップと、携帯電話Ｗｅｂサイトサーバで、接続された携帯電話とソフトウェアのシリアル番号が登録されているかを確認するステップと、携帯電話Ｗｅｂサイトサーバで登録されていない携帯電話であった場合は、ユーザーに対する警告をソフトウェアに送信し、該ソフトウェアは警告画面を表示して該ソフトウェアの使用を禁止するステップと、携帯電話とソフトウェアのシリアル番号が認証によって登録済みと確認された場合、コンピュータは携帯電話Ｗｅｂサイトサーバにバージョンアップ用ソフトウェアのシリアル番号を出力しバージョンアップの要求を行うステップと、バージョンアップの要求を受けた携帯電話Ｗｅｂサイトサーバは、携帯電話で既に登録されているシリアル番号をバージョンアップ用ソフトウェアのシリアル番号に更新し、携帯電話の管理番号をバージョンアップ用ソフトウェアのシリアル番号に付与してソフトウェア販売会社端末に送信するステップと、ソフトウェア販売会社端末が、管理番号とバージョンアップ用ソフトウェアのシリアル番号を確認してバージョンアップ用ソフトウェアのライセンスの登録作業を行って携帯電話Ｗｅｂサイトサーバにバージョンアップ用ソフトウェアのライセンスを発行するステップと、携帯電話Ｗｅｂサイトサーバが、受理したバージョンアップ用ソフトウェアのライセンスを、携帯電話を経由してバージョンアップ用ソフトウェアをインストールするパーソナルコンピュータに通知するステップと、ライセンスを受信したパーソナルコンピュータがバージョンアップ用ソフトウェアのインストールを完了するステップとを含むことを特徴とする。
【００１８】
第４の態様では、パーソナルコンピュータにインストールされているソフトウェアのバージョンアップ用のソフトウェアをソフトウェア販売会社端末から入手するために、パーソナルコンピュータを携帯電話に接続し、さらに携帯電話Ｗｅｂサイトサーバへの接続を要求するステップと、携帯電話Ｗｅｂサイトサーバで、接続された携帯電話とソフトウェアのシリアル番号が登録されているかを確認するステップと、携帯電話Ｗｅｂサイトサーバで登録されていない携帯電話とソフトウェアのシリアル番号であった場合は、ユーザーに対する警告をソフトウェアに送信し、該ソフトウェアは警告画面を表示して該ソフトウェアの使用を禁止するステップと、携帯電話とソフトウェアのシリアル番号が認証によって登録済みと確認された場合、コンピュータは携帯電話Ｗｅｂサイトサーバにソフトウェアに対するバージョンアップ用ソフトウェアのダウンロードの要求を行うステップと、バージョンアップ用ソフトウェアのダウンロードの要求を受けた携帯電話Ｗｅｂサイトサーバは、携帯電話で登録されている携帯電話の管理番号にシリアル番号を付与してソフトウェア販売会社端末にソフトウェアに対するバージョンアップ用ソフトウェアのダウンロードの要求を行うステップと、ソフトウェア販売会社端末が、管理番号とシリアル番号を確認して、ソフトウェアに対するバージョンアップ用ソフトウェアを、携帯電話Ｗｅｂサイトサーバ、ならびに携帯電話を経由してソフトウェアをインストールしているパーソナルコンピュータにダウンロードするステップとを有することを特徴とする。
【００１９】
個人を特定できる携帯電話を使用し、携帯電話Ｗｅｂサイトを通すことによって管理するようにしたので、複製されず個人が特定できる携帯電話をライセンスキーとして扱うこととなり、不正なインストールを低減できる。また、バージョンアップ用のソフトウェアを新規に購入した場合であってもソフトウェア販売会社は容易にライセンスの管理を行うことができ、最初に購入したソフトウェアの本体と登録された携帯電話を所有していれば、ユーザーはバージョンアップを容易にでき、ソフトウェア販売会社は容易にライセンスの管理を行うことができる。
【発明の効果】
【００２０】
本発明においては、以下に記載するような効果を得ることができる。
【００２１】
第１の効果は、携帯電話Ｗｅｂサイトで登録した携帯電話のみをライセンス管理の対象とするので、他人にソフトウェアを不正に貸し出ししても、携帯電話Ｗｅｂサイトサーバに登録した携帯電話を使用しなければインストールができないのでソフトウェアの不正使用を低減できることである。
【００２２】
第２の効果は、個人を特定できる携帯電話を利用し、携帯電話Ｗｅｂサイトで認証し、携帯電話Ｗｅｂサイトにて管理番号を付与してソフトウェア販売会社に送るため、ソフトウェア販売会社は、携帯電話Ｗｅｂサイトから送られた管理番号とシリアル番号だけを管理するだけでよく、従ってライセンス管理が簡易化できることである。
【００２３】
第３の効果は、携帯電話を使用することにより、インストールするパーソナルコンピュータの機種変更が生じた場合であっても個人の情報が引き継がれるので、携帯電話Ｗｅｂサイトで登録した管理番号は変わらず、従ってライセンスの再発行が容易にできることである。
【００２４】
第４の効果は、ソフトウェアのインストール時にライセンスキーの入力や、インターネットでの複雑な操作等を行わないため、ユーザーの操作を簡易にすることができることである。
【００２５】
第５の効果は、バージョンアップ用のソフトウェアを新規に購入した場合であっても、最初に購入したソフトウェアの本体と携帯電話とを所有していれば、ユーザーはバージョンアップを容易にでき、ソフトウェア販売会社は容易にライセンスの管理を行うことができることである。
【発明を実施するための最良の形態】
【００２６】
本発明の特徴はパーソナルコンピュータ等のＣＰＵを実装している機器（以後パーソナルコンピュータとして説明するがこれに限定されるものではない。）のソフトウェアライセンスをソフトウェア販売会社から受け取るとき、携帯電話から登録できるサイト(以後携帯電話Ｗｅｂサイトと呼ぶ。一般のパーソナルコンピュータから接続できるサイトは含まない。)に登録および個人認証をさせ、携帯電話Ｗｅｂサイトで管理番号を登録し、ソフトウェア販売会社は、携帯電話Ｗｅｂサイトサーバから送られてきた管理番号とソフトウェアのシリアル番号に対してライセンスを与えることによりソフトウェア販売会社は個人認証の必要がなくなることである。従ってソフトウェア販売会社はライセンス管理が容易になる。また、携帯電話を利用することにより、携帯電話の買い替えを行う場合であっても既に登録していたサイトは継続的に使用できるため、個人を特定できてライセンスの再発行が容易にできることである。さらに、個人情報を管理する携帯電話会社と連携する携帯電話Ｗｅｂサイトを通すことにより、ユーザーはライセンス取得のための個人情報の入力等の複雑な操作がなくなり容易にライセンス取得ができることである。
【００２７】
次に、本発明の実施の形態のソフトウェアライセンス管理システムについて図面を参照して説明する。図１は本発明の実施の形態のソフトウェアライセンス管理システムの模式的ブロック構成図である。本発明のソフトウェアライセンス管理システム１は、携帯電話Ｗｅｂサイトサーバ１０と、ソフトウェア販売会社端末２０と、パーソナルコンピュータ３１と、パーソナルコンピュータ３１とデータ通信が可能な携帯電話３２と、パーソナルコンピュータ３１にインストールされるソフトウェア３３と、携帯電話Ｗｅｂサイトサーバ１０とソフトウェア販売会社端末２０と携帯電話３２とを接続する通信ネットワーク６０とを有する。通信ネットワーク６０には複数の携帯電話３２が接続されており、それぞれの携帯電話３２にはパーソナルコンピュータ３１が接続可能であり、パーソナルコンピュータ３１にはソフトウェア３３がインストールできる。ここでは一ヶ所の携帯電話Ｗｅｂサイトサーバ１０とソフトウェア販売会社端末２０とが通信ネットワーク６０に接続していることとなっているが、複数のソフトウェア販売会社があって、それぞれのソフトウェア販売会社端末２０が異なった携帯電話Ｗｅｂサイトサーバ１０と連携していて携帯電話Ｗｅｂサイトサーバ１０も複数設けられていてもよい。ここでは代表的にそれぞれ一ヶ所として説明するが複数であっても同様な処理が行われる。なお、通信ネットワーク６０は携帯電話Ｗｅｂサイトサーバ１０とソフトウェア販売会社端末２０のサーバと携帯電話３２とに接続されている。携帯電話３２はパーソナルコンピュータ３１との間ではブルートゥースや赤外線通信等のローカルな近距離通信によってデータが送受されてもよい。
【００２８】
図１において、パーソナルコンピュータ３１を所有しているユーザー３０は、ソフトウェア３３をソフトウェア販売会社より購入し、ソフトウェア３３はパーソナルコンピュータ３１にインストールされる。インストールの完了のためにはライセンスが必要である。ライセンスについては従来技術でも説明したように色々な方法があるが、本実施の形態では、例えば暗号キーを有するライセンスファイルであり、ソフトウェア３３には解読のための公開キーが備えられライセンスファイルを解読することによってインストールが完了する方法であってもよいが、これに限定されるものではなく公知のライセンスが広く対象となる。また、ソフトウェア３３は識別のためのシリアル番号を保有している。ソフトウェア３３がインストールされたパーソナルコンピュータ３１は、ソフトウェア３３の要求により携帯電話３２に接続される。接続された携帯電話３２は、ソフトウェア３３の要求により指定の携帯電話Ｗｅｂサイトサーバ１０に接続される。携帯電話Ｗｅｂサイトサーバ１０は、そのソフトウェア３３のソフトウェア販売会社端末２０と接続されるようになっている。
【００２９】
本実施の形態のソフトウェアライセンス管理システム１の中核となる携帯電話Ｗｅｂサイトサーバ１０について説明する。図２は本発明の第１の実施の形態の携帯電話Ｗｅｂサイトサーバの模式的ブロック構成図である。
【００３０】
携帯電話Ｗｅｂサイトサーバ１０は、携帯電話３２の登録手続を行って管理番号を付与し、携帯電話３２からのライセンス要求に対して管理番号をソフトウェア３３のシリアル番号に付与してソフトウェア販売会社端末２０に送り、ソフトウェア販売会社端末２０からライセンスを受理すると携帯電話３２を経由してライセンスを発行し、ライセンスを管理する。
【００３１】
携帯電話Ｗｅｂサイトサーバ１０は、入力部１１、出力部１４、データ処理装置１２、記憶部１３、操作者がコマンドやデータを入力できる操作者入力部１１１、データを画面に表示できる画像表示部１４１を有する。
【００３２】
記憶部１３は、携帯電話管理番号格納部１３１と、ソフトウェアシリアル番号格納部１３２と、ライセンス格納部１３３とを有する。携帯電話管理番号格納部１３１は登録した携帯電話の管理番号を携帯電話の電話番号と関連させて格納する。ソフトウェアシリアル番号格納部１３２は受理したシリアル番号を携帯電話の管理番号と関連させて格納する。ライセンス格納部１３３は発行したライセンスをシリアル番号、管理番号と関連させて格納する。
【００３３】
データ処理装置１２は、登録依頼受理部１２１、携帯電話管理番号付与部１２２、ライセンス要求受理部１２３、登録確認部１２４、ソフトウェアシリアル番号受理部１２５、管理番号・シリアル番号送信部１２６、ライセンス受理部１２７、ライセンス送信部１２８、および中央処理部１２９を有する。
【００３４】
登録依頼受理部１２１は携帯電話３２の登録依頼を受理し、携帯電話管理番号付与部１２２は管理番号を付与して携帯電話３２に通知すると共に携帯電話管理番号を電話番号と関連付けて携帯電話管理番号格納部１３１に格納する。
【００３５】
ライセンス要求受理部１２３は携帯電話３２からソフトウェアインストールのためのライセンス要求を受け付けると、登録確認部１２４で携帯電話管理番号格納部１３１を参照して登録を確認する。登録が確認できるとソフトウェアシリアル番号受理部１２５でソフトウェアシリアル番号を受け付けてソフトウェアシリアル番号格納部１３２に受理したシリアル番号を携帯電話の管理番号と関連させて格納する。同時に管理番号・シリアル番号送信部１２６で管理番号とシリアル番号を組み合わせてソフトウェア販売会社端末２０に送信する。
【００３６】
ライセンス受理部１２７では、ソフトウェア販売会社端末２０からライセンスを受信すると、ライセンス送信部１２８で携帯電話３２にライセンスを送信すると共に発行したライセンスをシリアル番号、管理番号と関連させてライセンス格納部１３３に格納する。中央処理部１２９は各部の処理を制御する。
【００３７】
次に、ソフトウェアライセンス管理方法の第１の実施の形態としてパーソナルコンピュータ３１のユーザー３０がソフトウェア販売会社よりソフトウェア３３を購入して携帯電話３２を利用してライセンス登録を受ける場合のソフトウェアライセンス管理方法の流れについて説明する。図３は本発明の第１の実施の形態のソフトウェアライセンス管理システムの全体の処理の流れを示すフローチャートである。
【００３８】
パーソナルコンピュータＡ  ３１ａを所有しているユーザー３０ａは、ソフトウェア販売会社よりソフトウェアＡ  ３３ａを購入する（Ｓ１１）。ソフトウェアＡ  ３３ａを購入したユーザー３０ａは、パーソナルコンピュータ３１Ａ  ３１ａにソフトウェアＡ  ３３ａのインストール作業を行う（Ｓ１２）。インストール作業開始後、ソフトウェアＡ  ３３ａは、インストールを完了させるためのライセンスを入手するために、パーソナルコンピュータＡ  ３１ａに携帯電話Ａ  ３２ａと接続するように要求し、要求を受けたパーソナルコンピュータＡ  ３１ａは、携帯電話Ａ  ３２ａを接続する（Ｓ１３）。ソフトウェアＡ  ３３ａは、携帯電話Ａ  ３２ａに携帯電話Ｗｅｂサイトサーバ１０への接続を要求し、携帯電話Ａ  ３２ａは携帯電話Ｗｅｂサイトサーバ１０へ接続する（Ｓ１４）。
【００３９】
接続された携帯電話Ｗｅｂサイトサーバ１０は、ライセンス要求受理部１２３で要求を受理し、登録確認部１２４で携帯電話Ａ  ３２ａの認証を行い、登録されている携帯電話であるかを判断する（Ｓ１５）。登録されている場合はステップＳ２０に進み（Ｓ１５Ｙ）、未登録の場合は（Ｓ１５Ｎ）、ユーザーＡ  ３０ａに対して登録要求を行って携帯電話Ａ  ３２ａとの接続を終了し（Ｓ１６）、ライセンスを入手できなかったソフトウェアＡ  ３３ａはインストール作業を中止する（Ｓ１７）。
【００４０】
インストールができなかったユーザーＡ  ３０ａは（Ｓ１７）、携帯電話３２を用いてソフトウェア販売会社端末２０が指定した携帯電話Ｗｅｂサイトサーバ１０に登録手続きを行い（Ｓ１８）、携帯電話Ｗｅｂサイトサーバ１０では登録依頼受理部１２１で登録依頼と電話番号を受理し、携帯電話管理番号付与部１２２で認証を行い、管理番号をつけ登録を行って（Ｓ１９）、ステップ１２に戻る。この時、管理番号については、任意であってもよいが、番号が二重にならないこととする。また、管理番号や電話番号などの登録情報については、携帯電話Ｗｅｂサイトサーバ１０にて管理し、ソフトウェア販売会社端末２０に登録情報を送信しなくてもよい。また、携帯電話Ｗｅｂサイトサーバ１０に携帯電話３２を登録する処理は、パーソナルコンピュータ３１にソフトウェア３３をインストールする作業を行う前でもよい。ここで、携帯電話３２については正式なメーカー等から購入し個人情報が携帯電話会社で管理されているものとし、個人が特定できないプリペイド携帯等は登録の対象外とする。携帯電話の個人情報は携帯電話会社に登録されているので、携帯電話Ｗｅｂサイトサーバ１０は電話会社から個人情報が入手可能であれば個人情報自体を管理しなくてもよい。
【００４１】
ユーザーＡ  ３０ａは、携帯電話Ｗｅｂサイトサーバ１０に登録が完了した後、ステップ１２に戻ってソフトウェアＡ  ３３ａのインストール作業を再度行い（Ｓ１２）、ソフトウェアＡ  ３３ａは、ライセンスを入手するために、パーソナルコンピュータＡ  ３１ａに携帯電話Ａ  ３２ａに接続するように要求し、要求を受けたパーソナルコンピュータＡ  ３１ａは、携帯電話Ａ  ３２ａを接続する（Ｓ１３）。ソフトウェアＡ  ３３ａは、携帯電話Ａ  ３２ａに携帯電話Ｗｅｂサイトサーバ１０への接続を要求し、携帯電話Ａ  ３２ａは携帯電話Ｗｅｂサイトサーバ１０へ接続する（Ｓ１４）。接続された携帯電話Ｗｅｂサイトサーバ１０は、携帯電話Ａ  ３２ａが登録されている携帯電話であるかを判断する（Ｓ１５）。この場合は登録されているので（Ｓ１５Ｙ）、ステップＳ２０に進む。
【００４２】
認証で登録済みの携帯電話Ａ  ３２ａと確認した携帯電話Ｗｅｂサイトサーバ１０は、携帯電話Ａ  ３２ａとの接続状態を続け、接続状態になったパーソナルコンピュータＡ  ３１ａのソフトウェアＡ  ３３ａは、ソフトウェアＡ  ３３ａのシリアル番号等の情報を携帯電話Ａ  ３２ａを経由して携帯電話Ｗｅｂサイトサーバ１０に出力しライセンス要求を行う（Ｓ２０）。ただし、この時、携帯電話Ｗｅｂサイトサーバ１０は携帯電話Ｗｅｂサイトサーバ１０の登録を有料にするか、または、新規ライセンス料を有料とし、携帯電話会社を通して料金を入手してもよい。個人情報については携帯電話Ａ  ３２ａを購入する時、身元の確認、パスワード設定等、個人の情報を携帯電話会社に登録しているため、携帯電話Ｗｅｂサイトサーバ１０は携帯電話Ａ  ３２ａであることを認証できればよい。
【００４３】
携帯電話Ｗｅｂサイトサーバ１０は、ライセンス要求受理部１２３で携帯電話Ａ  ３２ａからのライセンス要求を受理すると共に登録確認部１２４で登録を確認し、ソフトウェアシリアル番号受理部１２５がソフトウェアＡ  ３３ａのシリアル番号を受理する。管理番号・シリアル番号送信部１２６が携帯電話Ａ  ３２ａの管理番号をソフトウェアＡ  ３３ａのシリアル番号に付与してソフトウェア販売会社端末２０に送信する（Ｓ２ソフトウェアの時初めて、ソフトウェア販売会社端末２０は、携帯電話Ｗｅｂサイトサーバ１０より送られてきた携帯電話Ａ  ３２ａの管理番号とソフトウェアＡ  ３３ａのシリアル番号を確認し、ライセンスの登録作業を行う（Ｓ２２）。シリアル番号が他の管理番号で登録されていなかった場合は（Ｓ２２Ｙ）、未登録なので携帯電話Ｗｅｂサイトサーバ１０にライセンスを発行する（Ｓ２３）。携帯電話Ｗｅｂサイトサーバ１０は、ライセンス受理部１２７でライセンスを受理し、ライセンス送信部１２８から携帯電話Ａ  ３２ａを経由してソフトウェアＡ  ３３ａをインストールするパーソナルコンピュータＡ  ３１ａにライセンスを発行する（Ｓ２４）。ライセンスを受信したパーソナルコンピュータＡ  ３１ａはソフトウェアＡ  ３３ａのインストールを完了する（Ｓ２５）。この時、シリアル番号が既に他の管理番号で登録されている場合は（Ｓ２２Ｎ）、重複登録として携帯電話Ｗｅｂサイトサーバ１０に他に登録済であることを知らせ（Ｓ２６）、携帯電話Ｗｅｂサイトサーバ１０は携帯電話Ａ  ３２ａを経由してユーザーＡ  ３０ａに対して警告を行ってインストール作業を中止させる（Ｓ２７）。
【００４４】
ソフトウェア３３のインストールとライセンス取得についての具体例について更に説明する。図４、および図５はパーソナルコンピュータのソフトウェアインストールの具体例を説明するための模式的ブロック構成図である。
【００４５】
図４においてパーソナルコンピュータＡ  ３１ａのユーザーがソフトウェアＡ  ３３ａを購入し、携帯電話Ａ  ３２ａを利用して携帯電話Ｗｅｂサイトサーバ１０に登録を行う。ソフトウェアＡ  ３３ａを購入したユーザーはパーソナルコンピュータＡ  ３１ａにソフトウェアＡ  ３３ａのインストール作業を行うと、ソフトウェアＡ  ３３ａは、携帯電話Ａ  ３２ａに接続する要求を行い、携帯電話Ａ  ３２ａがパーソナルコンピュータＡ  ３１ａに接続されると、ソフトウェアＡ  ３３ａは携帯電話Ａ  ３２ａを経由して携帯電話Ｗｅｂサイトサーバ１０に対してライセンス発行を要求し、ライセンスが発行される。その後も携帯電話Ａ  ３２ａを経由して携帯電話Ｗｅｂサイトサーバ１０に対してライセンスの再発行を要求した場合は登録されているので再発行される。しかし、同じパーソナルコンピュータＡ  ３１ａで同じソフトウェアＡ  ３３ａをインストールした場合であっても、携帯電話Ｂ  ３２ｂでライセンスの再発行の要求を行った場合には、携帯電話Ｗｅｂサイトサーバ１０では既にシリアル番号は携帯電話Ａ  ３２ａで登録されているために、同じパーソナルコンピュータＡ  ３１ａでソフトウェアＡ  ３３ａであってもライセンスは再発行されない。
【００４６】
図５においてパーソナルコンピュータＡ  ３１ａのユーザーがパーソナルコンピュータＡ  ３１ａをパーソナルコンピュータＢ  ３１ｂに買い替え、ソフトウェアＡ  ３３ａをインストールした場合、携帯電話Ａ  ３２ａを通して携帯電話Ｗｅｂサイトサーバ１０に接続することによって再度ライセンスの再発行が可能になる。このとき携帯電話Ｂ  ３２ｂを使用した場合は図４と同じようにライセンスの取得ができない。
【００４７】
これらの例で判るように、携帯電話Ａ  ３２ａがライセンスキーとして働いている。ソフトウェアのメディア等の記録媒体は貸し出しを容易にできるが、ライセンス取得に使用した携帯電話もソフトウェアとセットで貸し出さなければ、借り方のパーソナルコンピュータにソフトウェアをインストールしてもライセンスを取得することはできない。携帯電話もセットで貸し出すことは実際には困難と考えられるので、個人を特定できる携帯電話をライセンスキーとして使用することによりライセンスの発行および管理が容易にでき、ソフトウェアの不正使用を低減することができる。
【００４８】
次に、本発明のソフトウェアライセンス管理方法の第２の実施の形態について図面を参照して説明する。図６は、本発明の第２の実施の形態のソフトウェアライセンス管理システムにおける定期的な継続使用確認方法のフローチャートである。システムの基本的構成は図１に示す第１の実施の形態と同じであるので説明を省略するが、不正使用を軽減させる方法についてさらに工夫が行われている。
【００４９】
第２の実施の形態のソフトウェアライセンス管理システムの管理方法においては、パーソナルコンピュータＡ  ３１ａにインストールされたソフトウェアＡ  ３３ａは、ユーザーにより所定の回数、もしくは所定の期間を超えて起動された後、ライセンスの確認のために再度携帯電話Ａ  ３２ａに接続する要求を行う（Ｓ３１）。接続後、携帯電話Ａ  ３２ａより携帯電話Ｗｅｂサイトサーバ１０へ接続要求を行い接続後携帯電話の情報を出力する（Ｓ３２）。携帯電話Ｗｅｂサイトサーバ１０では接続された携帯電話が登録されている携帯電話であるかを確認する（Ｓ３３）。もし、この携帯電話Ｗｅｂサイトサーバ１０に登録されていない携帯電話であった場合は（Ｓ３３Ｎ）、ユーザーに対する警告をソフトウェアＡ  ３３ａに送信し、ソフトウェアＡ  ３３ａは、携帯電話Ｗｅｂサイトサーバ１０よりライセンスの確認ができなかった場合はユーザーに警告画面を表示し、ソフトウェアＡ  ３３ａの使用を禁止する。(Ｓ３４)。ここで、ソフトウェア３３の使用の禁止には多少猶予があってもよい。
【００５０】
一方既に登録されている携帯電話Ａ  ３２ａであれば（Ｓ３３Ｙ）、認証してソフトウェアＡ  ３３ａにシリアル番号を出力させる（Ｓ３５）。なお、携帯電話を機種変更した場合であっても登録したサイトは引き継げるため携帯電話Ａ  ３２ａとして扱われる。また、登録済みの携帯電話３２と確認した携帯電話Ｗｅｂサイトサーバ１０はシリアル番号および管理番号をソフトウェア販売会社端末２０に送信する（Ｓ３６）。ソフトウェア販売会社端末２０は携帯電話Ｗｅｂサイトサーバ１０より送られてきた管理番号とシリアル番号を確認し（Ｓ３７）、登録した情報と一致すれば（Ｓ３７Ｙ）、携帯電話Ｗｅｂサイトサーバ１０に継続の許可を行う（Ｓ３８）。携帯電話Ｗｅｂサイトサーバ１０はソフトウェアＡ  ３３ａがインストールされたパーソナルコンピュータＡ  ３１ａに継続使用許可を行い（Ｓ３９）、パーソナルコンピュータＡ  ３１ａはソフトウェアＡ  ３３ａを継続使用する（Ｓ４０）。
【００５１】
登録した情報と一致しなければ（Ｓ３７Ｎ）、携帯電話Ｗｅｂサイトサーバ１０に情報不一致の警告を行う（Ｓ４１）。携帯電話Ｗｅｂサイトサーバ１０はソフトウェアＡ  ３３ａがインストールされたパーソナルコンピュータＡ  ３１ａに警告画面を表示し、一定回数起動後の使用を不可とする（Ｓ４２）。
【００５２】
このように、第２の実施の形態では、定期的にライセンスの確認ができることによりソフトウェアの不正使用を更に低減できるという効果が得られる。
【００５３】
次に、本発明のソフトウェアライセンス管理方法の第３の実施の形態について図面を参照して説明する。図７は、本発明の第３の実施の形態のソフトウェアライセンス管理システムにおけるバージョンアップ用ソフトウェアのインストールの例を説明するための模式的ブロック構成図である。システムの基本的構成は図１に示す第１の実施の形態と同じであるので説明を省略する。
【００５４】
本発明の第３の実施の形態のソフトウェアライセンス管理方法では、ソフトウェアライセンス管理システムにおけるバージョンアップ用ソフトウェアのインストールにおいて、パーソナルコンピュータＡ  ３１ａにソフトウェアＡ  ３３ａをインストールし、ソフトウェアＡ  ３３ａの使用を続け、パーソナルコンピュータＡ  ３１ａにバージョンアップ用ソフトウェアＡ'  ３３ｂをインストールするまでの課程について、次のフローチャートで説明するような工夫が行われており、バージョンアップ用のソフトウェアを新規に購入した場合であってもソフトウェア販売会社は容易にライセンスの管理を行うことができる。
【００５５】
次に、パーソナルコンピュータＡ  ３１ａのユーザー３０がソフトウェア販売会社よりバージョンアップ用ソフトウェアＡ'  ３３ｂを購入して携帯電話Ａ  ３２ａを利用してライセンス登録を行う場合のソフトウェアライセンス管理方法の流れについて説明する。図８は本発明の第３の実施の形態のソフトウェアライセンス管理システムの全体の処理の流れを示すフローチャートである。
【００５６】
パーソナルコンピュータＡ  ３１ａを所有して、ソフトウェアＡ  ３３ａを使用しているユーザー３０は、ソフトウェア販売会社よりバージョンアップ用ソフトウェアＡ'  ３３ｂを購入する（Ｓ５１）。バージョンアップ用ソフトウェアＡ'  ３３ｂを購入したユーザーは、パーソナルコンピュータＡ  ３１ａにバージョンアップ用ソフトウェアＡ'  ３３ｂのインストール作業を行う（Ｓ５２）。インストール作業開始後、バージョンアップ用ソフトウェアＡ'  ３３ｂは、ソフトウェアＡ  ３３ａがインストールされているかを確認する（Ｓ５３）。
【００５７】
ソフトウェアＡ  ３３ａがインストールされていない場合は（Ｓ５３Ｎ）、新規のソフトウェアのインストールとなるので、図３のステップＳ１３からステップＳ２７を実行して（Ｓ５４）、バージョンアップ用ソフトウェアＡ'  ３３ｂのインストールを完了する（Ｓ５５）。
【００５８】
ソフトウェアＡ  ３３ａがインストールされている場合は（Ｓ５３Ｙ）、バージョンアップ用ソフトウェアＡ'  ３３ｂのインストールを完了させるためのライセンスを入手するために、パーソナルコンピュータＡ  ３１ａに携帯電話Ａ  ３２ａと接続するように要求し、要求を受けたパーソナルコンピュータＡ  ３１ａは、携帯電話Ａ  ３２ａを接続する（Ｓ５６）。バージョンアップ用ソフトウェアＡ'  ３３ｂは、携帯電話Ａ  ３２ａに携帯電話Ｗｅｂサイトサーバ１０への接続を要求し、携帯電話Ａ  ３２ａは携帯電話Ｗｅｂサイトサーバ１０へ接続する（Ｓ５７）。接続された携帯電話Ｗｅｂサイトサーバ１０は、ライセンス要求受理部１２３で要求を受理し、登録確認部１２４で携帯電話Ａ  ３２ａの認証を行い、登録されている携帯電話であるかを判断する（Ｓ５８）。登録されている場合はステップＳ６１に進み（Ｓ５８Ｙ）、未登録の場合は（Ｓ５８Ｎ）、ユーザー３０に対して登録要求を行って携帯電話Ａ  ３２ａとの接続を終了し（Ｓ５９）、ライセンスを入手できなかったバージョンアップ用ソフトウェアＡ'  ３３ｂはインストール作業を中止する（Ｓ６０）。
【００５９】
認証で登録済みの携帯電話Ａ  ３２ａと確認した携帯電話Ｗｅｂサイトサーバ１０は（Ｓ５８Ｙ）、携帯電話Ａ  ３２ａとの接続状態を続け、接続状態になったパーソナルコンピュータＡ  ３１ａのバージョンアップ用ソフトウェアＡ'  ３３ｂは、バージョンアップ用ソフトウェアＡ'  ３３ｂのシリアル番号等の情報を携帯電話Ａ  ３２ａを経由して携帯電話Ｗｅｂサイトサーバ１０に出力しバージョンアップのためのライセンス要求を行う（Ｓ６１）。携帯電話Ｗｅｂサイトサーバ１０は、ライセンス要求受理部１２３で携帯電話Ａ  ３２ａからのバージョンアップのためのライセンス要求を受理すると共に登録確認部１２４で登録を確認し、ソフトウェアシリアル番号受理部１２５がバージョンアップのためのソフトウェアＡ'  ３３ｂのシリアル番号を受理して、登録されていたシリアル番号をバージョンアップのためのソフトウェアＡ'  ３３ｂの新シリアル番号に更新する（ステップＳ６２）。管理番号・シリアル番号送信部１２６が管理番号をバージョンアップのためのソフトウェアＡ'  ３３ｂの新シリアル番号に付与してソフトウェア販売会社端末２０に送信する（Ｓ６３）。
【００６０】
ソフトウェア販売会社端末２０は、携帯電話Ｗｅｂサイトサーバ１０より送られてきた管理番号とバージョンアップのためのソフトウェアＡ'  ３３ｂの新シリアル番号を確認し、ライセンスの登録作業を行う（Ｓ６４）。バージョンアップのためのソフトウェアＡ'  ３３ｂの新シリアル番号が他の管理番号で登録されていなかった場合は（Ｓ６４Ｙ）、未登録なので携帯電話Ｗｅｂサイトサーバ１０にライセンスを発行する（Ｓ６５）。携帯電話Ｗｅｂサイトサーバ１０は、ライセンス受理部１２７でライセンスを受理し、ライセンス送信部１２８から携帯電話Ａ  ３２ａを経由してバージョンアップのためのソフトウェアＡ'  ３３ｂをインストールするパーソナルコンピュータＡ  ３１ａにライセンスを発行する（Ｓ６６）。ライセンスを受信したパーソナルコンピュータＡ  ３１ａはバージョンアップのためのソフトウェアＡ'  ３３ｂのインストールを完了する（Ｓ６７）。この時、シリアル番号が既に他の管理番号で登録されている場合は（Ｓ６４Ｎ）、重複登録として携帯電話Ｗｅｂサイトサーバ１０に他に登録済であることを知らせ（Ｓ６８）、携帯電話Ｗｅｂサイトサーバ１０は携帯電話Ａ  ３２ａを経由してユーザー３０に対して警告を行ってインストール作業を中止させる（Ｓ６９）。
【００６１】
次に、本発明のソフトウェアライセンス管理方法の第４の実施の形態について図面を参照して説明する。第４の実施の形態も、図７の第３の実施の形態と同様にソフトウェアライセンス管理システムにおけるバージョンアップ用ソフトウェアのインストールの例である。システムの基本的構成は図１に示す第１の実施の形態と同じであるので説明を省略する。
【００６２】
本発明の第３の実施の形態のソフトウェアライセンス管理方法では、ソフトウェアライセンス管理システムにおけるバージョンアップ用ソフトウェアのインストールにおいて、パーソナルコンピュータＡ  ３１ａにソフトウェア販売会社より購入したバージョンアップ用ソフトウェアＡ'  ３２ｂをインストールしていたが、第４の実施の形態のソフトウェアライセンス管理方法では、バージョンアップ用ソフトウェアＡ'  ３２ｂをソフトウェア販売会社端末２０より、携帯電話Ｗｅｂサイトサーバ１０および携帯電話Ａ  ３２ａを経由してダウンロードすることによりパーソナルコンピュータＡ  ３１ａにインストールする。パーソナルコンピュータＡ  ３１ａにバージョンアップ用ソフトウェアＡ'  ３２ｂをインストールするまでの課程において、次のフローチャートで説明するような工夫が行われており、バージョンアップ用のソフトウェアを新規に購入した場合であってもソフトウェア販売会社は容易にライセンスの管理を行うことができる。
【００６３】
次に、パーソナルコンピュータＡ  ３１ａのユーザー３０がソフトウェア販売会社よりバージョンアップ用ソフトウェアＡ'  ３３ｂを購入して、ソフトウェア販売会社端末２０より、携帯電話Ｗｅｂサイトサーバ１０および携帯電話Ａ  ３２ａを経由してダウンロードすることにより、パーソナルコンピュータＡ  ３１ａにインストールしてバージョンアップを行う場合のソフトウェアライセンス管理方法の流れについて説明する。図９は本発明の第４の実施の形態のソフトウェアライセンス管理システムの全体の処理の流れを示すフローチャートである。
【００６４】
パーソナルコンピュータＡ  ３１ａを所有して、ソフトウェアＡ  ３３ａを使用しているユーザー３０は、ソフトウェアＡ  ３３ａをバージョンアップするためにパーソナルコンピュータＡ  ３１ａに携帯電話Ａ  ３２ａと接続するように要求し、要求を受けたパーソナルコンピュータＡ  ３１ａは、携帯電話Ａ  ３２ａを接続する（Ｓ７１）。ソフトウェアＡ  ３３ａは、携帯電話Ａ  ３２ａに携帯電話Ｗｅｂサイトサーバ１０への接続を要求し、携帯電話Ａ  ３２ａは携帯電話Ｗｅｂサイトサーバ１０へ接続する（Ｓ７２）。
【００６５】
接続された携帯電話Ｗｅｂサイトサーバ１０は、ライセンス要求受理部１２３で要求を受理し、登録確認部１２４で携帯電話Ａ  ３２ａの認証を行い、登録されている携帯電話であるかを判断する（Ｓ７３）。登録されている場合はステップＳ７６に進み（Ｓ７３Ｙ）、未登録の場合は（Ｓ７３Ｎ）、ユーザー３０に対して登録要求を行って携帯電話Ａ  ３２ａとの接続を終了し（Ｓ７４）、ライセンスを入手できなかったソフトウェアＡ  ３３ａはインストール作業を中止する（Ｓ７５）。携帯電話Ｗｅｂサイト１０への登録を行う場合には、携帯電話Ａ  ３２ａを用いてソフトウェア販売会社端末２０が指定した携帯電話Ｗｅｂサイトサーバ１０に登録手続きを行い（Ｓ９１）、携帯電話Ｗｅｂサイトサーバ１０では登録依頼受理部１２１で登録依頼と電話番号を受理し、携帯電話管理番号付与部１２２で認証を行い、管理番号をつけ登録を行って（Ｓ９２）、ステップＳ７１に戻る。
【００６６】
認証で登録済みの携帯電話Ａ  ３２ａと確認した携帯電話Ｗｅｂサイトサーバ１０は（Ｓ７３Ｙ）、携帯電話Ａ  ３２ａとの接続状態を続け、接続状態になったパーソナルコンピュータＡ  ３１ａのソフトウェアＡ  ３３ａは、携帯電話Ｗｅｂサイトサーバ１０にソフトウェアＡ  ３３ａのバージョンアップ用ソフトウェアＡ’   ３３ｂのダウンロードの要求を行う（Ｓ７６）。
【００６７】
携帯電話Ｗｅｂサイトサーバ１０は、ライセンス要求受理部１２３で携帯電話３２からのバージョンアップ用ソフトウェアＡ’  ３３ｂのダウンロードの要求を受理すると共に登録確認部１２４で登録を確認し、管理番号・シリアル番号送信部１２６が管理番号とシリアル番号にバージョンアップ用ソフトウェアＡ’   ３３ｂのダウンロードの要求を付加して、ソフトウェア販売会社端末２０に送信する（Ｓ７７）。
【００６８】
ソフトウェア販売会社端末２０は、携帯電話Ｗｅｂサイトサーバ１０より送られてきた管理番号とシリアル番号を確認し（Ｓ７８）、登録されていた場合は（Ｓ７８Ｙ）、バージョンアップ用ソフトウェアＡ'  ３３ｂを携帯電話Ｗｅｂサイトサーバ１０に送信する（Ｓ７９）。携帯電話Ｗｅｂサイトサーバ１０は、ライセンス受理部１２７でバージョンアップ用ソフトウェアＡ'  ３３ｂを受理し、ライセンス送信部１２８から携帯電話Ａ  ３２ａを経由してバージョンアップ用ソフトウェアＡ'  ３３ｂをパーソナルコンピュータＡ  ３１ａに送信する（Ｓ８０）。受信したパーソナルコンピュータＡ  ３１ａはバージョンアップ用ソフトウェアＡ'  ３３ｂをインストールしてバージョンアップを完了する（Ｓ８１）。この時、管理番号とシリアル番号が登録されていなかった場合は、携帯電話Ｗｅｂサイトサーバ１０に不登録であることを知らせ（Ｓ７８Ｎ）、携帯電話Ｗｅｂサイトサーバ１０は不登録を確認して（Ｓ８２）、携帯電話Ａ  ３２ａを経由してユーザー３０に対して警告を行ってインストール作業を中止させる（Ｓ８３）。
【００６９】
この場合、携帯電話ｗｅｂサイト及びライセンス、管理番号、シリアル番号については最初にインストールされていたソフトウェアＡ  ３３ａのものを使用し、更新は行わない。
【００７０】
このようにして、第４の実施例でも最初に購入したソフトウェアＡの本体と携帯電話Ａを所有していれば、ユーザーはバージョンアップを容易にでき、ソフトウェア販売会社は容易にライセンスの管理を行うことができる。
【図面の簡単な説明】
【００７１】
【図１】本発明の第１の実施の形態のソフトウェアライセンス管理システムの模式的ブロック構成図である。
【図２】本発明の第１の実施の形態の携帯電話Ｗｅｂサイトサーバの模式的ブロック構成図である。
【図３】本発明の第１の実施の形態のソフトウェアライセンス管理システムの全体の処理の流れを示すフローチャートである。
【図４】パーソナルコンピュータのソフトウェアインストールの具体例を説明するための模式的ブロック構成図である。
【図５】パーソナルコンピュータのソフトウェアインストールの具体例を説明するための模式的ブロック構成図である。
【図６】本発明の第２の実施の形態のソフトウェアライセンス管理システムにおける定期的な継続使用確認方法のフローチャートである。
【図７】本発明の第３の実施の形態のソフトウェアライセンス管理システムにおけるバージョンアップ用ソフトウェアのインストールの例を説明するための模式的ブロック構成図である。
【図８】本発明の第３の実施の形態のソフトウェアライセンス管理システムの全体の処理の流れを示すフローチャートである。
【図９】本発明の第４の実施の形態のソフトウェアライセンス管理システムの全体の処理の流れを示すフローチャートである。
【図１０】従来例のソフトウェアライセンス管理システムの模式的システム構成図である。
【符号の説明】
【００７２】
１、１００    ソフトウェアライセンス管理システム
１０    携帯電話Ｗｅｂサイトサーバ
１１    入力部
１２    データ処理装置
１３    記憶部
１４    出力部
２０、１２０    ソフトウェア販売会社端末
３０    ユーザー
３１、１３１    パーソナルコンピュータ
３２、１３２    携帯電話
３３、１３３    ソフトウェア
６０、１６０    通信ネットワーク
１１１    操作者入力部
１２１    登録依頼受理部
１２２    携帯電話管理番号付与部
１２３    ライセンス要求受理部
１２４    登録確認部
１２５    ソフトウェアシリアル番号受理部
１２６    管理番号・シリアル番号送信部
１２７    ライセンス受理部
１２８    ライセンス送信部
１２９    中央処理部
１３１    携帯電話管理番号格納部
１３２    ソフトウェアシリアル番号格納部
１３３    ライセンス格納部
１４１    画像表示部
Ｓ１１〜Ｓ２７、Ｓ３１〜Ｓ４２、Ｓ５１〜Ｓ６９、Ｓ７１〜Ｓ８３、Ｓ９１、Ｓ９２    ステップ
【図１】
2006309720.tif 000003
【図２】
2006309720.tif 000004
【図３】
2006309720.tif 000005
【図４】
2006309720.tif 000006
【図５】
2006309720.tif 000007
【図６】
2006309720.tif 000008
【図７】
2006309720.tif 000009
【図８】
2006309720.tif 000010
【図９】
2006309720.tif 000011
【図１０】
2006309720.tif 000012